(57)【要約】【課題】複数の電気部品およびこれら電気部品を冷却するファンの配置効率がよく、コストダウンをも実現することができる加熱調理器を提供する。【解決手段】底板１２と内箱との間には、マイクロ波を発生するマグネトロン３１と、マグネトロン３１の出力を変更するインバータ４０と、マグネトロン３１およびインバータ４０を制御する制御基板７０と、１個の冷却ファン５０とが配置される。内箱の側面は、扉の開閉を検知し扉をロック制御するロック機構４７が配置される。冷却ファン５０は、風をインバータ４０に送風するインバータ用送風路５６と、風を制御基板７０に送風する制御基板用送風路５８と、冷却ファン５０から送風される風をロック機構４７に送風するロック機構用送風路とを備えた。【選択図】  図４
2013079744.tif 000002
【特許請求の範囲】
【請求項１】
本体の上面、側面および背面を形成するキャビネットと、
前記キャビネットに収容され開口を有する加熱室を形成する内箱と、
前記本体の前面を形成し前記開口を開閉する扉と、
前記本体の底面を形成する底板と、
前記底板と前記内箱との間に配置されマイクロ波を発生するマグネトロンと、
前記底板と前記内箱との間に配置され前記マグネトロンの出力を変更するインバータと、
前記底板と前記内箱との間に配置され少なくとも前記マグネトロンおよび前記インバータを制御する制御基板と、
前記内箱の側面に配置され、前記扉の開閉を検知し前記扉をロック制御するロック機構と、
１個のファンと、
前記ファンから送風される風を前記インバータに送風するインバータ用送風路と、
前記ファンから送風される風を前記制御基板に送風する制御基板用送風路と、
前記ファンから送風される風を前記ロック機構に送風するロック機構用送風路とを備えたことを特徴とする加熱調理器。
【請求項２】
前記インバータと前記マグネトロンとは、連続して配置されており、
前記インバータ用送風路から送付され前記インバータを冷却した風を、前記マグネトロンに導くマグネトロン用送風路をさらに備えた請求項１記載の加熱調理器。
【請求項３】
前記ファンと前記インバータは、前記本体の第１の長辺に沿って配置され、
前記マグネトロンは前記本体の第１の短辺に沿って配置され、
前記制御基板は、前記第１の長辺に対向する前記本体の第２の長辺に沿って配置され、
前記ロック機構は、前記第１の短辺に対向する前記本体の第２の短辺に沿って配置される請求項１または２記載の加熱調理器。
【請求項４】
前記マグネトロンから発せするマイクロ波を撹拌するアンテナと、
前記アンテナを回転させるアンテナモータと、
前記インバータを収容し前記インバータを流れる風を導くインバータダクトとをさらに備え、
前記インバータダクトは、前記インバータを流れる風を前記インバータダクトの外に送風するアンテナモータ用送風口を有し、
前記アンテナモータおよび前記制御基板は、前記アンテナモータ用送風口より送風される風の下流に配置される請求項１〜３のいずれか一項記載の加熱調理器。
【請求項５】
前記ファンを収容し、上方向に開口するロック機構用送風口を有するファンケースをさらに備え、
前記ロック機構用送風路は、前記ロック機構用送風口から送風される風を前記ロック機構に導くダクトである請求項１〜４のいずれか一項記載の加熱調理器。
【発明の詳細な説明】
【技術分野】
【０００１】
本発明の実施形態は、加熱室内に被加熱物を収容して加熱調理する加熱調理器に関する。
【背景技術】
【０００２】
電子レンジなどの加熱調理器（以下、電子レンジという。）は、マグネトロン、インバータ、制御基板などの複数の電気部品をキャビネット内部に備える。これらの電気部品は発熱体であるため、電子レンジは、これらの電気部品を冷却し効率よく運転するための冷却ファンを備える。
【先行技術文献】
【特許文献】
【０００３】
【特許文献１】特開２００６−２９２１８１号公報
【発明の概要】
【発明が解決しようとする課題】
【０００４】
近年、電子レンジをはじめとするキッチンに設置される調理機器は、キッチンファニチャーに収納され統一感を持たせる場合がある。電子レンジはキッチンファニチャーに収納される際、電子レンジのキャビネット（外箱）と、このキャビネットと対向するキッチンファニチャーとの間の距離である設置寸法を小さくするという要望が増えている。その一方で、電子レンジには、庫内容量を確保することが求められている。
【０００５】
本発明はこのような事情を考慮してなされたもので、複数の電気部品およびこれら電気部品を冷却するファンの配置効率がよく、コストダウンをも実現することができる加熱調理器を提供することを目的とする。
【課題を解決するための手段】
【０００６】
実施形態の加熱調理器は、本体の上面、側面および背面を形成するキャビネットと、前記キャビネットに収容され開口を有する加熱室を形成する内箱と、前記本体の前面を形成し前記開口を開閉する扉と、前記本体の底面を形成する底板と、前記底板と前記内箱との間に配置されマイクロ波を発生するマグネトロンと、前記底板と前記内箱との間に配置され前記マグネトロンの出力を変更するインバータと、前記底板と前記内箱との間に配置され少なくとも前記マグネトロンおよび前記インバータを制御する制御基板と、前記内箱の側面に配置され、前記扉の開閉を検知し前記扉をロック制御するロック機構と、１個のファンと、前記ファンから送風される風を前記インバータに送風するインバータ用送風路と、前記ファンから送風される風を前記制御基板に送風する制御基板用送風路と、前記ファンから送風される風を前記ロック機構に送風するロック機構用送風路とを備えたことを特徴とする。
【図面の簡単な説明】
【０００７】
【図１】本発明に係る加熱調理器の一実施形態である電子レンジの正面図。
【図２】図１の電子レンジを正面から見た場合の概念的な縦断面図。
【図３】本実施形態における電子レンジの機能ブロック図。
【図４】底板に配置される電気部品のレイアウトを主に示す平面図。
【図５】内箱と底板に配置される電気部品とを示す正面図。
【図６】内箱と底板に配置される電気部品とを示す左側面図。
【図７】内箱と内箱および底板に配置される電気部品とを示す右側面図。
【図８】シロッコファンの外観斜視図。
【図９】冷却ファンの内部平面図。
【図１０】冷却ファンの正面図。
【図１１】インバータの内部平面図。
【図１２】インバータの正面図。
【発明を実施するための形態】
【０００８】
本発明に係る加熱調理器の実施形態を添付図面に基づいて説明する。
【０００９】
図１は、本発明に係る加熱調理器の一実施形態である電子レンジ１の正面図である。
【００１０】
図２は、図１の電子レンジ１を正面から見た場合の概念的な縦断面図である。
【００１１】
図３は、本実施形態における電子レンジ１の機能ブロック図である。
【００１２】
本実施形態においては、図１の電子レンジ１の紙面手前を前側（正面側）、紙面奥を後側（奥側）、右および左をそれぞれ右側および左側と定義する。
【００１３】
電子レンジ１は、本体１０、扉１３、および内箱１４を有する。
【００１４】
本体１０は、本体１０の上面、側面および背面を形成するキャビネット１１と、底面を形成する底板１２とを有する。内箱１４は、キャビネット１１に収容される。内箱１４は、被加熱物を収容する加熱室１５を形成する。内箱１４は、電子レンジ１の前面に、加熱室１５に被加熱物を出し入れする開口を有する。
【００１５】
扉１３は、本体１０の前面に取付けられ、本体１０の前面を形成する。扉１３は、本体１０の前面下部に設けられたヒンジ機構によって加熱室１５の開口部を開閉可能にする。
【００１６】
フラット皿１６（固定皿）は、加熱室１５の底面に配置され、フラット皿１６上には被加熱物が配置される。
【００１７】
扉１３の例えば下側には、操作部２０および表示部２１が設けられる。
【００１８】
操作部２０は、調理メニューの手動または自動運転の選択、決定、加熱条件、自動調理メニューの種類の選択などを受け付ける。表示部２１は、操作部２０を介して使用者により行われた調理メニューの選択および設定や電子レンジ１の運転状態などを表示する。
【００１９】
図２および図３に示すように、本体１０は、マグネトロン３１、ヒータ３２、スチーム発生用ヒータ３３などの加熱手段を所定位置に備える。電子レンジ１は、制御部３０の指示に基づいて、これらの加熱手段により加熱室１５に収容された被加熱物のレンジ調理、オーブン調理、スチーム調理などの調理を行う。制御部３０は、後述する制御基板７０であり、電子レンジ１の各部を電気的に制御する。
【００２０】
マグネトロン３１は、マイクロ波を発生させる。マイクロ波の出力は、インバータ４０より供給される電源に応じて制御される。インバータ４０（図３）は、複数の値に出力を変更する。
【００２１】
図２に示すように、マグネトロン３１から放射されるマイクロ波は、マグネトロン３１に接続された導波管３５を通り、回転アンテナ３６の下面に流入する。マイクロ波は、回転アンテナ３６によって撹拌された後、フラット皿１６を透過し、加熱室１５内に放射される。
【００２２】
回転アンテナ３６は、回転または停止することによりマイクロ波を加熱室１５に伝播する。アンテナモータ４１は、回転アンテナ３６と軸４１ａで接続されたモータである。アンテナモータ４１は、制御部３０の制御信号に基づいて回転アンテナ３６を回転および停止させる。アンテナモータ４１は、ステッピングモータを用いることにより、回転速度を容易に変更できる。
【００２３】
アンテナ位置検出部４２は、例えばマイクロスイッチやフォトインタラプタなどであり、回転アンテナ３６の回転角度や位置を検知する。アンテナ位置検出部４２は、検出結果を制御部３０へ供給する。
【００２４】
ヒータ３２は、例えば加熱室１５の天井（上方）に設けられ、放射した熱によりオーブン調理を行う。スチーム発生用ヒータ３３は、タンクより供給された水を加熱してスチームを発生させる。発生したスチームは、例えば内箱１４の側面に設けられたスチーム供給孔から加熱室１５に供給される。
【００２５】
赤外線センサ４５は、加熱室１５の右側面上方に設けられ、加熱室１５内（フラット皿１６上）の赤外線を検知することで温度を検出する。赤外線センサ４５は、単眼赤外線センサや複数眼の赤外線センサである。ブザー報知部４６（図３）は、所定のタイミングにおいて使用者に通知を行うためのブザー音を制御部３０の指示に基づいて出力する。ロック機構４７は、扉１３の状態を検知し、扉１３のロック制御を行う。
【００２６】
次に、本実施形態における電子レンジ１の本体１０内部に配置される電気部品のレイアウトについて説明する。
【００２７】
図４は、底板１２に配置される電気部品のレイアウトを主に示す平面図である。
【００２８】
図５は、内箱１４と底板１２に配置される電気部品とを示す正面図である。
【００２９】
図６は、内箱１４と底板１２に配置される電気部品とを示す左側面図である。
【００３０】
図７は、内箱１４と内箱１４および底板１２に配置される電気部品とを示す右側面図である。
【００３１】
図４に示すように、底板１２（底板１２と内箱１４との間）には、冷却ファン５０、インバータ４０、マグネトロン３１、制御基板７０およびアンテナモータ４１が配置される。
【００３２】
冷却ファン５０は、電子レンジ１に１個設けられる。冷却ファン５０は、底板１２の右後方に配置される。ここで、図８は、シロッコファン５２の外観斜視図である。図９は、冷却ファン５０の内部平面図である。図１０は、冷却ファン５０の正面図である。
【００３３】
冷却ファン５０は、ファンケース５１内に収容されるシロッコファン（多翼羽根）５２、ＡＣファンモータ５３、およびモータ取付板５４を有する。
【００３４】
冷却ファン５０は、シロッコファン５２を用いることにより、他のファン（プロペラファンなど）を用いる際に比べて冷却風量を多くすることができる。
【００３５】
ＡＣファンモータ５３は、フォトトライアックを使用して駆動させることによりオーブン調理やスチーム調理時などレンジ調理に比べて冷却風の風量が小さくてよい場合においては、位相制御によりＡＣファンモータ５３の駆動電圧を小さくしＡＣファンモータ５３の回転数を落とすことができる。これにより、ＡＣファンモータ５３を静音化することができる。また、オーブン調理時には、不要に加熱室１５の周囲を冷却することがないため、加熱室１５内温度の立ち上がりに影響を及ぼさない。
【００３６】
冷却ファン５０は、冷却ファン５０が配置される底板１２上に設けられるパンチングである吸気孔より吸気し、ファンケース５１に形成された３つの送風口５５、５７、５９より冷却風を送風する。
【００３７】
第１の送風口としてのインバータ用送風口５５は、冷却ファン５０の底板１２への配置時においてファンケース５１の左奥側に設けられる。図４および図９に示すように、ファンケース５１は、インバータ用送風口５５出口において、冷却風を電子レンジ１の右から左に向かって導くインバータ用送風路５６を有する。
【００３８】
第２の送風口としての制御基板用送風口５７は、冷却ファン５０の配置時においてファンケース５１の左前側に設けられる。図４および図９に示すように、ファンケース５１は、制御基板用送風口５７出口において、冷却風を電子レンジ１の右後から左前に向かって斜めに導く制御基板用送風路５８を有する。
【００３９】
第３の送風口としてのロック機構・赤外線センサ用送風口（ロック機構等用送風口）５９は、冷却ファン５０の配置時においてファンケース５１の右側中央に設けられる。図４、図７および図１０に示すように、ファンケース５１は、ロック機構等用送風口５９出口において、冷却風を電子レンジ１の下から上に向かって導くロック機構・赤外線センサ用送風路（ロック機構等用送風路）６０（後述）を有する。
【００４０】
図４に示すように、インバータ４０は、本体１０（底板１２）後側の長手方向（第１の長辺）に沿って主に配置される。また、インバータ４０は、冷却ファン５０の左隣であって、インバータ用送風口５５より右から左方向に送風される冷却風の下流に位置する。
【００４１】
ここで、図１１は、インバータ４０の内部平面図である。図１２は、インバータ４０の正面図である。
【００４２】
インバータ４０は、図１１に示すように高周波トランス８１、インバータ基板８２、絶縁ゲートバイポーラトランジスタ（ＩＧＢＴ）８３、整流器８４、および放熱フィン８５を有し、インバータダクト８６に収容される。
【００４３】
インバータダクト８６内においては、高周波トランス８１は右側に、インバータ基板８２は左側の奥側に、ＩＧＢＴ８３および整流器８４は左側の前側に、右から左に向かって順次配置される。
【００４４】
インバータダクト８６は、左右方向ダクト８６ａ、前後方向ダクト８６ｂ、およびダクトカバー８６ｃを有する。左右方向ダクト８６ａは、底板１２の後側長手方向に沿って右から左に向かって伸びた部分であり、インバータ４０の各部品を収容する。マグネトロン用送風路としての前後方向ダクト８６ｂは、左右方向ダクト８６ａの左端部と接続し、図４に示すように底板１２の左奥隅部１２ａの形状に沿って曲り、奥から手前方向に伸びた部分である。ダクトカバー８６ｃは、左右方向ダクト８６ａおよび前後方向ダクト８６ｂの上部を覆う。
【００４５】
図４などに示すように、インバータダクト８６は、冷却風取入口８７、マグネトロン用送風口８８、およびアンテナモータ用送風口８９を有する。
【００４６】
冷却風取入口８７は、左右方向ダクト８６ａの右端部に設けられる。冷却風取入口８７は、右隣に配置される冷却ファン５０のインバータ用送風口５５と接続され、右から左方向に供給される冷却風をインバータダクト８６内に取り込む。
【００４７】
マグネトロン用送風口８８は、前後方向ダクト８６ｂの前側端部に設けられる。マグネトロン用送風口８８は、左右方向ダクト８６ａを流通し前後方向ダクト８６ｂに導かれた冷却風を後から前方向に送風する。
【００４８】
アンテナモータ用送風口８９は、図１２に示すように、左右方向ダクト８６ａの前側側壁に設けられる。アンテナモータ用送風口８９は、左右方向ダクト８６ａ内を右から左方向に流通する冷却風をインバータダクト８６外に導き、主に電子レンジ１の右奥から左前方向に向かって斜めに冷却風を送風する。
【００４９】
図４に示すように、マグネトロン３１は、本体１０（底板１２）の左側短手方向（第１の短辺）に沿って、インバータ４０の前後方向ダクト８６ｂの端部近傍に、インバータ４０と連続して配置される。すなわち、マグネトロン３１は、インバータダクト８６のマグネトロン用送風口８８近傍に配置され、前後方向ダクト８６ｂ内を後から前方向に通流する冷却風の下流に位置する。
【００５０】
制御基板７０は、本体１０（底板１２）の前側長手方向（第２の長辺）に沿って配置される。すなわち、制御基板７０は、インバータ４０が配置される本体１０（底板１２）の奥側長手方向（第１の長辺）と対向する前側長手方向（第２の長辺）に沿って配置され、インバータ４０と対向する位置に配置される。
【００５１】
また、制御基板７０は、冷却ファン５０より前側であって、制御基板用送風口５７より右後から左前方向に送風される冷却風の下流に位置する。制御基板７０は、インバータ４０より前側であって、アンテナモータ用送風口８９より右後から左前方向に送風される冷却風の下流に位置する。制御基板７０は、ノイズフィルタ、電源トランスおよびＤＣリレーなどを有する。
【００５２】
図４に示すように、アンテナモータ４１は、インバータ４０と制御基板７０との間、および冷却ファン５０とマグネトロン３１との間であって、電子レンジ１（底板１２）の略中央に配置される。アンテナモータ４１は、インバータダクト８６のアンテナモータ用送風口８９より右後から左前方向に送風される冷却風の下流に位置する。
【００５３】
図７に示すように、内箱１４の右側面には、ロック機構４７および赤外線センサ４５が配置される。すなわち、ロック機構４７および赤外線センサ４５は、マグネトロン３１が配置される本体１０（底板１２）の左側短手方向（第１の短辺）と対向する右側短手方向（第２の短辺）に沿って配置され、マグネトロン３１と対向する位置に配置される。
【００５４】
ロック機構４７は、内箱１４の右側面の上方であって、電子レンジ１（内箱１４）の前側に配置される。赤外線センサ４５は、内箱１４の右側面の上方であって、ロック機構４７より奥側に配置される。
【００５５】
ロック機構等用送風路６０（ロック機構用送風路）は、内箱１４の右側面に取付けられ、ファンケース５１のロック機構等用送風口５９から送風される冷却風を下から上方向に向かって導くダクトである。ロック機構等用送風路６０は、ロック機構用送風口６０ａおよび赤外線センサ用送風口６０ｂを有する。
【００５６】
ロック機構用送風口６０ａは、ロック機構４７の近傍において電子レンジ１の前方向に開口する。ロック機構用送風口６０ａは、冷却風を電子レンジ１の後から前方向や後側下方から前側上方に斜めに導く。
【００５７】
赤外線センサ用送風口６０ｂは、赤外線センサ４５の近傍において電子レンジ１の上方向に開口する。赤外線センサ用送風口６０ｂは、冷却風を電子レンジ１の下から上方向に導く。
【００５８】
なお、ロック機構等用送風路６０の形状とロック機構用送風口６０ａおよび赤外線センサ用送風口６０ｂの位置は、ロック機構４７および赤外線センサ４５が配置される位置に応じて決定される。
【００５９】
次に、本実施形態における電子レンジ１の作用について説明する。
【００６０】
電子レンジ１はレンジ調理を行う場合、インバータ４０、マグネトロン３１、制御基板７０、アンテナモータ４１、ロック機構４７および赤外線センサ４５を動作させる。これら電気部品は動作時においては発熱体となり、電子レンジ１は冷却ファン５０を駆動しこれらの電気部品を冷却させる。
【００６１】
冷却ファン５０は、ＡＣファンモータ５３を駆動し底板１２の吸気孔より吸気する空気Ａ（図１０参照）からシロッコファン５２で冷却風を発生させる。図４に示すように、冷却風Ｗ１は、インバータ用送風路５６を通流し、インバータ用送風口５５より右から左方向に放出される。
【００６２】
冷却風Ｗ１は、冷却ファン５０の左隣に設けられたインバータダクト８６の冷却風取入口８７よりインバータダクト８６内に取り入れられる。図１１に示すように、冷却風Ｗ１の一部は、左右方向ダクト８６ａ内を通流し、高周波トランス８１、インバータ基板８２の順に冷却する。また、冷却風Ｗ１の一部は、高周波トランス８１、ＩＧＢＴ８４、整流器８３の順に冷却する。
【００６３】
インバータダクト８６内においては、発熱量が大きい部品は右側に、発熱量が小さい部品は左側に配置される。すなわち、冷却風Ｗ１の上流に発熱量が大きい高周波トランス８１が、下流に発熱量が高周波トランス８１より小さいインバータ基板８２やＩＧＢＴ８４、整流器８３が配置される。これにより、電子レンジ１は、発熱量に応じて各電気部品を効率的に冷却することができる。
【００６４】
図４に示すように、左右方向ダクト８６ａを通流した冷却風Ｗ１は、冷却風Ｗ２として前後方向ダクト８６ｂ内を後から前方向に通流し、冷却風Ｗ２はマグネトロン用送風口８８から放出される。
【００６５】
冷却風Ｗ２は、マグネトロン用送風口８８近傍であり冷却風Ｗ２の下流に配置されたマグネトロン３１に到達し、このマグネトロン３１を冷却する。
【００６６】
図４に示すように、インバータダクト８６の左右方向ダクト８６ａ内の冷却風Ｗ１の一部は、さらに冷却風Ｗ３としてアンテナモータ用送風口８９から放出される。冷却風Ｗ３は、右後から左前方向に放出され、冷却風Ｗ３の下流に位置するアンテナモータ４１に到達する。冷却風Ｗ３は、アンテナモータ４１を冷却し、さらにアンテナモータ４１よりも前側に配置された制御基板７０を冷却する。
【００６７】
図４に示すように、冷却風Ｗ４は、制御基板用送風口５７より放出され、制御基板用送風路５８により右後から左前方向に導かれる。冷却風Ｗ４は、冷却ファン５０より前側に設けられた制御基板７０に到達し、制御基板７０を冷却する。
【００６８】
また、図４および図１０に示すように、冷却風Ｗ５はロック機構等用送風口５９を経て、図７に示すロック機構等用送風路６０に導かれる。冷却風Ｗ５の一部は、ロック機構用送風口６０ａから電子レンジ１の後より前方向に向かって放出される。放出された冷却風Ｗ５は、冷却風Ｗ５の下流に位置するロック機構４７に到達し、ロック機構４７を冷却する。
【００６９】
また、冷却風Ｗ５の一部は、赤外線センサ用送風口６０ｂより電子レンジ１の下から上方向に向かって放出される。放出された冷却風Ｗ５は、冷却風Ｗ５の下流に位置する赤外線センサ４５に到達し、赤外線センサ４５を冷却する。
【００７０】
電子レンジ１は、ヒータ調理およびスチーム調理を行う場合においても同様に冷却ファン５０より各電気部品を冷却するための冷却風を発生する。このとき、発熱体（電気部品）の数や発熱量に応じてＡＣファンモータ５３の回転数は制御される。
【００７１】
本実施形態における電子レンジ１は、フラット皿１６を備え、回転アンテナ３６によりマイクロ波を撹拌する構成において、ＡＣファンモータ５３や発熱体としての各種電気部品を上述したとおりに冷却効率よく配置した。このため、電子レンジ１は、電子レンジ１に必要とする各種機器を１個の冷却ファンにより冷却することができる。この結果、電子レンジ１は、冷却ファン５０を複数個設置するためのスペースの低減、および内部構造の簡素化を実現でき、加熱室１５を広く確保することができる。
【００７２】
また、電子レンジ１は、冷却ファン５０を複数個設置するためのコストを低減することができる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７４】
例えば、マグネトロン３１を電子レンジ１の右側に配置し、ロック機構４７および赤外線センサ４５を左側に配置してもよい。この場合、冷却ファン５０およびインバータ４０の配置は本実施形態に対して左右対称になる。
【００７５】
また、マグネトロン３１は、インバータ４０の左隣であって、底板１２の奥側長手方向に沿って配置されてもよい。
【符号の説明】
【００７６】
１  電子レンジ
１０  本体
１１  キャビネット
１２  底板
１３  扉
１４  内箱
１５  加熱室
１６  フラット皿
３０  制御部
３１  マグネトロン
３２  ヒータ
３３  スチーム発生用ヒータ
４０  インバータ
４１  アンテナモータ
４５  赤外線センサ
４７  ロック機構
５０  冷却ファン
５１  ファンケース
５２  シロッコファン
５３  ＡＣファンモータ
５５  インバータ用送風口
５６  インバータ用送風路
５７  制御基板用送風口
５８  制御基板用送風路
５９  ロック機構・赤外線センサ用送風口（ロック機構等用送風口）
６０  ロック機構・赤外線センサ用送風路（ロック機構等用送風路）
６０ａ  ロック機構用送風口
６０ｂ  赤外線センサ用送風口
７０  制御基板
８６  インバータダクト
８７  冷却風取入口
８８  マグネトロン用送風口
８９  アンテナモータ用送風口
【図１】
2013079744.tif 000003
【図２】
2013079744.tif 000004
【図３】
2013079744.tif 000005
【図４】
2013079744.tif 000006
【図５】
2013079744.tif 000007
【図６】
2013079744.tif 000008
【図７】
2013079744.tif 000009
【図８】
2013079744.tif 000010
【図９】
2013079744.tif 000011
【図１０】
2013079744.tif 000012
【図１１】
2013079744.tif 000013
【図１２】
2013079744.tif 000014